(57)【特許請求の範囲】
【請求項１】
エレベータの利用者が利用階の情報を入力する個人情報端末が出力する前記利用階の情報及び前記個人情報端末の識別コードを受信するとともに、前記識別コードでかご呼び登録サービスの加入者であるかを確認しサービス加入／未加入情報を管理するサービス管理サーバに前記識別コードを送信し、前記サービス管理サーバから前記識別コードの加入／未加入情報を受信する乗場操作表示装置と、
前記乗場操作表示装置が受信した前記加入／未加入情報の受信結果及び前記識別コードを格納する利用状況情報リストを備え、前記加入／未加入情報がサービス加入であれば前記利用階の情報に応じて前記エレベータを制御するエレベータ制御装置とを備え、
前記個人情報端末の識別コードの前記加入／未加入情報が前記利用状況情報リストに格納されていない場合のみ前記乗場操作表示装置が前記サービス管理サーバに加入／未加入の問い合わせを行なうことを特徴とするエレベータシステム。
【請求項２】
エレベータの利用者が利用階の情報を入力する個人情報端末が出力する前記利用階の情報及び前記個人情報端末の識別コードを受信するとともに、前記識別コードでかご呼び登録サービスの加入者であるかを確認しサービス加入／未加入情報を管理するサービス管理サーバに前記識別コードを送信し、前記サービス管理サーバから前記識別コードの加入／未加入情報を受信する乗場操作表示装置と、
前記乗場操作表示装置が受信した前記加入／未加入情報の受信結果及び前記識別コードを格納する利用状況情報リストを備え、前記加入／未加入情報がサービス加入であれば前記利用階の情報に応じて前記エレベータを制御するエレベータ制御装置とを備え、
前記個人情報端末の識別コードの前記加入／未加入情報が前記利用状況情報リストに加入と格納されている場合には，前記乗場操作表示装置がサービス管理サーバに加入未加入の問い合わせを行なわないことを特徴とするエレベータシステム。
【請求項３】
複数のビルのエレベータを一台のサービス管理サーバで一括管理することを特徴とする請求項１または２に記載のエレベータシステム。
【請求項４】
エレベータ制御装置の利用状況情報リストに当該エレベータのかご呼び登録サービスの加入者の利用状況データを記録し、
前記利用状況データを前記当該エレベータの運行制御に利用する
ことを特徴とする請求項１から３のいずれか１項に記載のエレベータシステム。
【請求項５】
かご呼び登録サービスに期限を設け、
前記期限が切れた識別コードに対応するサービス加入／未加入情報を未加入にする
ことを特徴とする請求項１から４のいずれか１項に記載のエレベータシステム。
【請求項６】
かご呼び登録サービスに加入した個人情報端末の利用者にサービス料を課金する
ことを特徴とする請求項１から５のいずれか１項に記載のエレベータシステム。
【請求項７】
かご呼び登録サービスに加入した個人情報端末の利用者に前記かご呼び登録サービス以外のサービスを提供し、サービス料を課金する
ことを特徴とする請求項１から６のいずれか１項に記載のエレベータシステム。
【発明の詳細な説明】
【０００１】
【発明の属する技術分野】
本発明はかご呼び登録のエレベータシステムに係わり、特にかご呼び登録のエレベータシステムで携帯電話等の個人情報端末を用いたかご呼び登録サービスに関する。
【０００２】
【従来の技術】
個人情報端末をしたエレベータの呼び登録装置としては、例えば特開平７−３２１９３６号公報に携帯電話を利用して利用者の資格の有無を判定し、セキュリティの向上を目的とする発明が示されている。図５に従来の発明の構成図を示す。携帯電話１１を用いて基地局２１および交換機２２を介してエレベータ３３を利用するコンピュータ装置３１を呼び出して資格情報を入力し、コンピュータ装置３１では入力した資格情報に基づいて資格をチェックし資格の有無を通知し、資格有りの通知により携帯電話１１から行き先階情報を入力し、行き先階情報を入力したコンピュータ装置３１ではエレベータ運転制御装置３２に行き先階へのエレベータ３３の運転を指令するようにするものである。
【０００３】
【発明が解決しようとする課題】
従来例では、コンピュータ装置３１に記憶された利用者の資格情報を各ビルのエレベータごとに入力し管理する必要があり、ビル管理部門の負荷が大きくなるという問題点があった。
【０００４】
本発明の目的は、複数のビルにおける携帯電話からのかご呼び登録の資格情報をセンターで一括管理することにより、ビル管理部門に負荷のかからないエレベータシステムを提供することにある。
【０００５】
【課題を解決するための手段】
この発明に係るエレベータシステムは、エレベータの利用者が利用階の情報を入力する個人情報端末が出力する前記利用階の情報及び前記個人情報端末の識別コードを受信するとともに、前記識別コードでかご呼び登録サービスの加入者であるかを確認しサービス加入／未加入情報を管理するサービス管理サーバに前記識別コードを送信し、前記サービス管理サーバから前記識別コードの加入／未加入情報を受信する乗場操作表示装置と、前記乗場操作表示装置が受信した前記加入／未加入情報の受信結果及び前記識別コードを格納する利用状況情報リストを備え、前記加入／未加入情報がサービス加入であれば前記利用階の情報に応じて前記エレベータを制御するエレベータ制御装置とを備え、前記個人情報端末の識別コードの前記加入／未加入情報が前記利用状況情報リストに格納されていない場合のみ前記乗場操作表示装置が前記サービス管理サーバに加入／未加入の問い合わせを行なうことを特徴とする。
また、この発明に係るエレベータシステムは、エレベータの利用者が利用階の情報を入力する個人情報端末が出力する前記利用階の情報及び前記個人情報端末の識別コードを受信するとともに、前記識別コードでかご呼び登録サービスの加入者であるかを確認しサービス加入／未加入情報を管理するサービス管理サーバに前記識別コードを送信し、前記サービス管理サーバから前記識別コードの加入／未加入情報を受信する乗場操作表示装置と、前記乗場操作表示装置が受信した前記加入／未加入情報の受信結果及び前記識別コードを格納する利用状況情報リストを備え、前記加入／未加入情報がサービス加入であれば前記利用階の情報に応じて前記エレベータを制御するエレベータ制御装置とを備え、前記個人情報端末の識別コードの前記加入／未加入情報が前記利用状況情報リストに加入と格納されている場合には，前記乗場操作表示装置がサービス管理サーバに加入未加入の問い合わせを行なわないことを特徴ことを特徴とする。
【０００６】
この発明に係るエレベータシステムは、複数のビルのエレベータを一台のサービス管理サーバで一括管理することを特徴とする。
【０００７】
この発明に係るエレベータシステムは、エレベータ制御装置の利用状況情報リストに当該エレベータのかご呼び登録サービスの加入者の利用状況データを記録し、
前記利用状況データを前記当該エレベータの運行制御に利用することを特徴とする。
【００１０】
この発明に係るエレベータシステムは、かご呼び登録サービスに期限を設け、前記期限が切れた識別コードに対応するサービス加入／未加入情報を未加入にすることを特徴とする。
【００１１】
この発明に係るエレベータシステムは、かご呼び登録サービスに加入した個人情報端末の利用者にサービス料を課金することを特徴とする。
【００１２】
この発明に係るエレベータシステムは、かご呼び登録サービスに加入した個人情報端末の利用者に前記かご呼び登録サービス以外のサービスを提供し、サービス料を課金することを特徴とする。
【００１３】
【発明の実施の形態】
実施の形態１．
図１は、本発明の実施の形態１を示すエレベータシステムの構成図の例である。図において、１０は利用者が利用階を入力する個人情報端末、２０は個人情報端末１０に固有の識別コードである個人ＩＤと個人情報端末１０から入力された行き先階情報を通信する乗り場操作表示装置である。利用階の情報としては、例えば乗り場階がある。さらに降り場階も含めることができる。
【００１４】
個人情報端末１０としては、例えば、携帯電話、ＰＨＳ等がある。よって、個人ＩＤは、例えば、個人情報端末１０に固有の番号、より具体的には携帯電話番号等を利用することができる。また、個人ＩＤによって、利用者を識別することもでき、識別コードに対応するものである。
【００１５】
４０は各ビルごとの 個人情報端末１０の利用者がかご呼び登録サービスの加入者かどうかを一括管理するサービス管理サーバである。５０はサービス管理サーバ４０があるセンターである。
【００１６】
サービス管理サーバ４０は乗り場操作表示装置２０から転送される個人ＩＤ（識別コード）でかご呼び登録サービスの加入者であるかを確認し、サービス加入／未加入情報を管理するものである。
【００１７】
３０は乗り場操作表示装置２０から転送される個人ＩＤがかご呼び登録サービスの加入者のものであるかをサービス管理サーバ４０に確認し、加入者であれば利用階の情報（例えば、乗り場階と行き先階情報）をもとにエレベータを制御するエレベータ制御装置である。
【００１８】
次に、動作について説明する。図２は、サービス管理サーバ４０に記憶される加入者情報リストの構成図である。ここで、７０はサービス管理サーバ４０に記憶される加入者情報リストの例である。
【００１９】
また、図３及び図４は、それぞれビルＡまたはビルＢのエレベータ制御装置３０に記憶される利用状況情報リストの構成図である。８０はビルのエレベータ制御装置３０に記憶される利用状況情報リストの例である。
【００２０】
複数のビル、例えばビルＡ及びビルＢのエレベータを一台のサービス管理サーバ４０で一括管理している。
【００２１】
まず、個人情報端末１０の利用者は、サービス管理サーバ４０にアクセスし、個人情報端末１０から必要事項を入力することによって、エレベータのかご呼びが可能となるかご呼び登録サービスに加入する。サービス管理サーバ４０では、個人情報端末１０に固有の個人ＩＤとサービス加入／未加入情報が加入者情報リスト７０に記憶される。
【００２２】
例えば、利用者がビルＡのエレベータを利用する場合、個人情報端末１０から行き先階を入力する。利用者が乗り場操作表示装置２０に接近すると、個人情報端末１０に固有の個人ＩＤが検出され、個人情報端末１０から入力された行き先階情報と検出された固有の個人ＩＤとを乗り場操作表示装置２０に無線で通信する。個人ＩＤと行き先階情報とは、乗り場階情報とともに乗り場操作表示装置２０からエレベータ制御装置３０に転送され、ビルＡの利用状況情報リスト８０に記憶される。
【００２３】
エレベータ制御装置３０は、個人ＩＤがかご呼び登録サービスの加入者のものであるかをサービス管理サーバ４０に確認し、加入者であれば乗り場階と行き先階情報とを元にエレベータを制御する。利用者がビルＢのエレベータを利用する場合には、ビルＢの利用状況情報リスト８０に記憶される。
【００２４】
よって、特定の個人ＩＤは、ビルＡのエレベータには利用できても、ビルＢのエレベータには利用できないことになる。もっとも、管理用、検査用のＩＤであれば、管理されている全てのエレベータを利用することもできる。
【００２５】
なお、エレベータのかご呼び登録のサービス（かご呼び登録サービス）に加入するために必要な情報である加入者情報としては、例えば、個人ＩＤ、サービス加入／未加入情報等がある。
【００２６】
また、個人情報端末１０と乗り場操作表示装置２０との間で通信される、かご呼び登録に必要な情報であるかご呼び登録情報としては、例えば、個人ＩＤ、乗り場階、行き先階等がある。
【００２７】
乗り場操作表示装置２０からサービス管理サーバ４０に転送されるかご呼び登録情報は、かご呼び登録サービスに加入している利用者からのものであるかどうかをサービス管理サーバ４０の加入者情報リスト８０で確認され、その確認情報がサービス管理サーバ４０から乗り場操作表示装置２０に返される。よって、乗り場操作表示装置２０は、個人情報端末１０との無線による送受信と、サービス管理サーバ４０との送受信とを行うことができる。
【００２８】
また、ビルによっては複数のエレベータが設置されていることもあるが、このような場合、エレベータ単位でかご呼び登録サービスを設定することもできれば、ビル単位でエレベータ群としてかご呼び登録サービスを設定することもできる。
【００２９】
また、かご呼び登録サービスに加入した個人情報端末１０の利用者に対して、サービス料を課金するようにしても良い。このようにすれば、サービス料収入が得られる。
【００３０】
なお、明細書全文および図において、同一の符号を付したものは、同一またはこれに相当するものである。また、明細書全文に表れている構成要素の形容は、あくまで例示であってこれらの記載に限定されるものではない。
【００３１】
以上のように、複数のビルのかご呼び登録サービスの加入者情報リスト７０をセンター５０のサービス管理サーバ４０で一括管理することによって、エレベータ制御装置３０で各ビルごとにかご呼び登録サービスの加入者情報を設定・管理する必要がなくなる。
【００３２】
実施の形態２．
実施の形態１では、個人情報端末１０の利用者が各ビルのエレベータを利用するたびに、かご呼び登録サービスの加入者かどうかをサービス管理サーバ４０に確認するようにしたが、個人情報端末１０の利用者が各ビルのエレベータを最初に利用する場合にだけ、かご呼び登録サービスの加入者かどうかをサービス管理サーバ４０に確認するようにすることもできる。
【００３３】
具体的には、エレベータ制御装置３０において、個人情報端末１０の利用者が各ビルのエレベータを最初に利用する場合に、個人情報端末１０の利用者を識別する個人ＩＤを利用状況情報リスト８０に記憶し、当該個人ＩＤがかご呼び登録サービスに加入している個人ＩＤと一致するものがあるかどうかをサービス管理サーバ４０の加入者情報リスト７０で確認した結果を、サービス加入／未加入情報として利用状況情報リスト８０に記憶する。
【００３４】
このようにすれば、個人情報端末１０の利用者が各ビルのエレベータを次回から利用する場合は、エレベータ制御装置３０の利用状況情報リスト８０のサービス加入／未加入情報を確認するだけで、毎回サービス管理サーバ４０に確認する必要がなくなるので、かご呼び登録の時間が短縮されると同時にサービス管理サーバ４０の負荷集中が回避できる。
【００３５】
実施の形態３．
サービス管理サーバ４０において、個人情報端末１０の利用者が各ビルのエレベータを最初に利用する場合に、個人情報端末１０の利用者を識別する個人ＩＤがかご呼び登録サービスに加入している個人ＩＤと一致するかどうかをサービス管理サーバ４０の加入者情報リスト７０で確認し、加入者であれば、この個人ＩＤに対応するサービス利用ビルとして加入者情報リスト７０に記憶するようにすることができる。
【００３６】
このようにすれば、かご呼び登録サービスの加入者情報として個人ＩＤに対応するサービス利用ビルが自動登録され、管理が簡単になる。
【００３７】
実施の形態４．
サービス管理サーバ４０において、加入者情報リスト７０として、かご呼び登録サービスの有効期限を記憶し、有効期限が切れた個人ＩＤに対応するサービス加入／未加入情報を未加入にし、サービス利用ビルとしての登録を消去すると同時に、各サービス利用ビルのエレベータ制御装置３０において、利用状況情報リスト８０のサービス加入／未加入情報を未加入に変更するようにしても良い。
【００３８】
このようにすれば、かご呼び登録サービスの有効期限が切れると、加入者情報リスト７０と利用状況情報リスト８０が自動更新され、管理が簡単になる。
【００３９】
また、有効期限が切れた個人ＩＤに関する情報を消去せずに残しておけば、加入者の更新に即対応することができる。
【００４０】
実施の形態５．
エレベータ制御装置３０において、利用状況情報リスト８０に 個人情報端末１０の利用者が各ビルのエレベータを利用した利用状況データ（利用回数、乗り場階−降り場階情報等）を記憶し、利用状況データをかごの運行制御に利用するようにしても良い。
【００４１】
このようにすれば、利用者の利用状況データを用いることにより、降り場階及び行き先階の自動登録が可能となり、利用者の利便性が向上する。
【００４２】
実施の形態６．
エレベータ制御装置３０において、個人情報端末１０の利用者の中で、かご呼び登録サービスに未加入の利用者で、各ビルのエレベータを利用した利用状況データから、利用回数の多い利用者を抽出し、このサービス未加入利用者をサービス管理サーバ４０に送信し、サービス管理サーバ４０から個人情報端末１０の利用者にかご呼び登録サービスに加入するように促すこともできる。
【００４３】
このようにすれば、利用者の利用状況データを用いることにより、かご呼び登録サービスの加入者を拡大できる。
【００４４】
実施の形態７．
かご呼び登録サービスに加入した個人情報端末１０の利用者に対して、かご呼び登録サービス以外のサービス、例えば障害者用ガイダンスサービス、広告情報提供サービス、音楽配信サービスなどのサービスも合わせて選択的に提供できるようにし、提供するサービスに応じてサービス料を課金するようにしても良い。
【００４５】
このようにすれば、提供するサービスの種類を増やすことにより、サービス加入者を増やし、サービス料収入が増大する。
【００４６】
【発明の効果】
この発明に係るエレベータシステムは、エレベータの利用者が利用階の情報を入力する個人情報端末が出力する前記利用階の情報及び前記個人情報端末の識別コードを受信するとともに、前記識別コードでかご呼び登録サービスの加入者であるかを確認しサービス加入／未加入情報を管理するサービス管理サーバに前記識別コードを送信し、前記サービス管理サーバから前記識別コードの加入／未加入情報を受信する乗場操作表示装置と、前記乗場操作表示装置が受信した前記加入／未加入情報の受信結果及び前記識別コードを格納する利用状況情報リストを備え、前記加入／未加入情報がサービス加入であれば前記利用階の情報に応じて前記エレベータを制御するエレベータ制御装置とを備え、前記個人情報端末の識別コードの前記加入／未加入情報が前記利用状況情報リストに格納されていない場合のみ前記乗場操作表示装置が前記サービス管理サーバに加入／未加入の問い合わせを行なうので、サービス管理サーバの負荷集中が回避できる。
また、この発明に係るエレベータシステムは、エレベータの利用者が利用階の情報を入力する個人情報端末が出力する前記利用階の情報及び前記個人情報端末の識別コードを受信するとともに、前記識別コードでかご呼び登録サービスの加入者であるかを確認しサービス加入／未加入情報を管理するサービス管理サーバに前記識別コードを送信し、前記サービス管理サーバから前記識別コードの加入／未加入情報を受信する乗場操作表示装置と、前記乗場操作表示装置が受信した前記加入／未加入情報の受信結果及び前記識別コードを格納する利用状況情報リストを備え、前記加入／未加入情報がサービス加入であれば前記利用階の情報に応じて前記エレベータを制御するエレベータ制御装置とを備え、前記個人情報端末の識別コードの前記加入／未加入情報が前記利用状況情報リストに加入と格納されている場合には，前記乗場操作表示装置がサービス管理サーバに加入未加入の問い合わせを行なわないので、かご呼び登録の時間が短縮される。
【００４７】
この発明に係るエレベータシステムは、複数のビルのエレベータを一台のサービス管理サーバで一括管理するので、エレベータ制御装置で各ビルごとにかご呼び登録サービスの加入者情報を設定・管理する必要がなくなる。
【００４８】
この発明に係るエレベータシステムは、エレベータ制御装置の利用状況情報リストに当該エレベータのかご呼び登録サービスの加入者の利用状況データを記録し、
前記利用状況データを前記当該エレベータの運行制御に利用するので、管理が簡単になる。
【００５１】
この発明に係るエレベータシステムは、かご呼び登録サービスに期限を設け、前記期限が切れた識別コードに対応するサービス加入／未加入情報を未加入にするので、管理が簡単になり、加入者の更新に即対応できる。
【００５２】
この発明に係るエレベータシステムは、かご呼び登録サービスに加入した個人情報端末の利用者にサービス料を課金するので、サービス料収入が得られる。
【００５３】
この発明に係るエレベータシステムは、かご呼び登録サービスに加入した個人情報端末の利用者に前記かご呼び登録サービス以外のサービスを提供し、サービス料を課金するので、サービス料収入が得られる。
【図面の簡単な説明】
【図１】  本発明のエレベータシステムの構成図である。
【図２】  センターに記憶される加入者情報リストの構成図である。
【図３】  ビルＡに記憶される利用状況情報リストの構成図である。
【図４】  ビルＢに記憶される利用状況情報リストの構成図である。
【図５】  従来のエレベータ呼び出し装置の構成図である。
【符号の説明】
１０：個人情報端末                  ２０：乗り場操作表示装置
３０：エレベータ制御装置            ４０：サービス管理サーバ
５０：センター                      ７０：加入者情報リスト
８０：利用者状況情報リスト
【図１】
0004513215.tif 000002
【図２】
0004513215.tif 000003
【図３】
0004513215.tif 000004
【図４】
0004513215.tif 000005
【図５】
0004513215.tif 000006